(57)【特許請求の範囲】
【請求項１】
機器の動作設定を行う操作手段と、複数の火力段階を有する加熱手段と、前記加熱手段の火力を示す火力表示手段と、前記火力表示手段の近傍に配置され前記加熱手段が有する設定を文字または記号で表示する火力段階表示手段と、機器の総電力量が所定の値を超えないように前記加熱手段の火力を制限する電力規制手段とを備え、前記火力段階表示手段は、前記電力規制手段にて前記加熱手段の火力が規制状態に移行する時には、設定不可能な火力段階に対応する範囲の点滅が行われた後に表示を消し、その後の規制状態にある時には、設定可能な火力段階に対応する範囲の点滅表示をする誘導加熱調理器。
【請求項２】
火力段階表示手段は、電力規制手段にて加熱手段の火力が規制状態に移行する時には、設定不可能な火力段階に対応する範囲の点滅が行われた後に表示を消し、その後の規制状態にある時には、設定可能な火力段階に対応する範囲の点滅表示をするのに替えて濃度、色の少なくともいずれかを変化させて表示する請求項１に記載の誘導加熱調理器。
【発明の詳細な説明】
【０００１】
【発明の属する技術分野】
本発明は誘導加熱調理器に係り、特に加熱出力を表示する誘導加熱調理器に関するものである。
【０００２】
【従来の技術】
図３に示すように、従来の誘導加熱調理器のケース本体には、鍋等が置かれるトッププレート１、ケース本体内部に備えられた図示しない電磁誘導巻線等により鍋等を加熱するヒータ２とともに機器の操作を行う操作手段３が備えられている。この操作手段３には入力スイッチ４、火力調節を行う加熱段階調節器５、操作手段３による受け付け等を報知する報知手段６、ヒータ２の設定火力を表示する表示手段７が備えられている。ヒータ２は左ヒータ２ａと右ヒータ２ｂの２口から構成されており、それぞれの最大火力設定は２０００Ｗ、以下１５００Ｗ、１０００Ｗ、５００Ｗ、２５０Ｗの順に設定が可能である。
【０００３】
また両ヒータ２ａ、２ｂを同時に使用した場合には総電力量が３０００Ｗを超えないように、それぞれのヒータ２ａ、２ｂにて設定できる火力を制限する図示しない電力規制手段を備えている。図４は表示手段７を拡大したものである。表示手段７は、左ヒータに対応した左表示手段７ａと右ヒータに対応した右表示手段７ｂからなり、さらに両表示手段７ａ、７ｂともに前記加熱手段の火力を示す火力表示手段８と、火力表示手段８の近傍に配置され、前記加熱手段が有する設定を文字または記号で表示する火力段階表示手段９が設けられており、これらによって設定可能な火力段階および使用中の火力を視覚的に把握するようになっている。
【０００４】
【発明が解決しようとする課題】
上記構成において、両ヒータ２ａ、２ｂをそれぞれ２０００Ｗ設定で同時に使用しようとした場合には、機器の総電力量が４０００Ｗとなる。すると総電力量を３０００Ｗに抑えようと電力規制手段が働き、火力設定は両ヒータ２ａ、２ｂともに１段下の１５００Ｗ設定に変更される。その結果総電力量は３０００Ｗに抑えられる。この状態では両ヒータ２ａ、２ｂともに加熱段階調節器５により２０００Ｗに設定することは不可能である。しかしながら図４（２）に示すように、火力段階表示手段９において２０００Ｗ設定に対応した表示である「５」は両表示手段７ａ、７ｂともに表示されたままである。このため、使用者は２０００Ｗ設定を可能と判断してしまうことがあり、誤操作が発生する。
【０００５】
【課題を解決するための手段】
前記従来の課題を解決するために、本発明の誘導加熱調理器は、機器の動作設定を行う操作手段と、複数の火力段階を有する加熱手段と、前記加熱手段の火力を示す火力表示手段と、前記火力表示手段の近傍に配置され、前記加熱手段が有する設定を文字または記号で表示する火力段階表示手段と、機器の総電力量が所定の値を超えないように前記加熱手段の火力を制限する電力規制手段を備え、前記火力段階表示手段は、前記電力規制手段にて前記加熱手段の火力が規制状態に移行する時には、設定不可能な火力段階に対応する範囲の点滅が行われた後に表示を消し、その後の規制状態にある時には、設定可能な火力段階に対応する範囲の点滅表示をするようにしたものである。これにより、前記電力規制手段にて前記加熱手段の火力が規制状態に移行するということあるいは既に移行状態にあるということ、その後規制状態にあることおよび設定可能な火力段階が視覚的に把握し易くなり、誤操作も少なくなるという効果が得られる。
【０００６】
【発明の実施の形態】
請求項１に記載の発明は、機器の動作設定を行う操作手段と、複数の火力段階を有する加熱手段と、前記加熱手段の火力を示す火力表示手段と、前記火力表示手段の近傍に配置され前記加熱手段が有する設定を文字または記号で表示する火力段階表示手段と、機器の総電力量が所定の値を超えないように前記加熱手段の火力を制限する電力規制手段とを備え、前記火力段階表示手段は、前記電力規制手段にて前記加熱手段の火力が規制状態に移行する時には、設定不可能な火力段階に対応する範囲の点滅が行われた後に表示を消し、その後の規制状態にある時には、設定可能な火力段階に対応する範囲の点滅表示をするようにしたことにより、前記電力規制手段にて前記加熱手段の火力が規制状態に移行するということあるいは既に移行状態にあるということ、その後規制状態にあることおよび設定可能な火力段階を視覚的に正確に把握することができるという作用が得られる。
【０００７】
請求項２に記載の発明は、特に、火力段階表示手段は、電力規制手段にて加熱手段の火力が規制状態に移行する時には、設定不可能な火力段階に対応する範囲の点滅が行われた後に表示を消し、その後の規制状態にある時には、設定可能な火力段階に対応する範囲の点滅表示をするのに替えて濃度、色の少なくともいずれかを変化させて表示するようにしたことにより、前記電力規制手段にて前記加熱手段の火力が規制状態に移行するということあるいは既に移行状態にあるということ、その後規制状態にあることおよび設定可能な火力段階を視覚的に正確に把握することができるという作用が得られる。
【０００８】
【実施例】
以下本発明の実施例について図面を参照して説明する。
【０００９】
（参考例１）
本参考例１の構成については従来と同様であるため、図３により説明する。誘導加熱調理器のケース本体には、鍋等が置かれるトッププレート１、ケース本体内部に備えられた図示しない電磁誘導巻線等により鍋等を加熱するヒータ２とともに機器の操作を行う操作手段３が備えられている。この操作手段３には入力スイッチ４、火力調節を行う加熱段階調節器５、操作手段３による受け付け等を報知するブザーからなる報知手段６、ヒータ２の設定火力を表示する発光ダイオード（ＬＥＤ）あるいは液晶表示素子（ＬＣＤ）等からなる表示手段７等が備えられている。ヒータ２は左ヒータ２ａと右ヒータ２ｂの２口から構成されており、それぞれの最大火力設定は２０００Ｗ、以下１５００Ｗ、１０００Ｗ、５００Ｗ、２５０Ｗの順に設定が可能である。
【００１０】
また両ヒータ２ａ、２ｂを同時に使用した場合には総電力量が３０００Ｗを超えないように、それぞれのヒータ２ａ、２ｂにて設定できる火力を制限する図示しない電力規制手段を備えている。図１は表示手段７を拡大したものである。表示手段７は、左ヒータに対応した左表示手段７ａと右ヒータに対応した右表示手段７ｂからなり、さらに両表示手段７ａ、７ｂともに前記加熱手段の火力を示す火力表示手段８と、火力表示手段８の近傍に配置され、前記加熱手段が有する設定を文字または記号で表示する火力段階表示手段９が設けられており、これらによって設定可能な火力段階および使用中の火力を視覚的に把握するようになっている。
【００１１】
この構成において、両ヒータ７ａ、７ｂをそれぞれ２０００Ｗ設定で同時に使用しようとした場合には、機器の総電力量が４０００Ｗとなる。すると総電力量を３０００Ｗに抑えようと電力規制手段が働き、火力設定は両ヒータ７ａ、７ｂともに一段下の１５００Ｗ設定に変更される。その結果総電力量は３０００Ｗに抑えられる。この状態では両ヒータ２ａ、２ｂともに加熱段階調節器５により２０００Ｗに設定することは不可能である。このとき図１（２）に示すように、火力段階表示手段９において２０００Ｗ設定に対応した表示である「５」は両表示手段７ａ、７ｂともに消えるようにすることにより、２０００Ｗが設定不可能であることが視覚的に正確に把握することができるようになり、使用者の誤操作を減らすことができるようになる。
【００１２】
また、前記電力規制手段により前記加熱手段の火力が規制状態に移行するときには報知手段６によって音量７０ｄＢ、周波数４ｋＨｚの報知音を０．５秒間報知することとする。また移行前は報知手段６による報知音は音量５０ｄＢ、周波数２ｋＨｚであったのを、規制状態に移行してからそれが解除されるまでの間は、移行前とは音量、周波数の少なくともいずれかを変化させた報知音、例えば音量７０ｄＢ、周波数４ｋＨｚの報知音を報知させることにする。これにより、表示手段７を見なくても前記電力規制手段が働いていることが聴覚的に正確に把握することができ、使用者の誤操作を減らすことができるようになる。
【００１３】
なお、参考例１においては、２０００Ｗ設定の１段下の設定火力が１５００Ｗ設定であったため、総電力量を３０００Ｗに抑えるために１段階設定を下げるだけで済むが、２０００Ｗと１５００Ｗの間に１８００Ｗ等の別の設定が存在する場合には２段階設定を下げて総電力量を３０００Ｗに抑えようとしても同等の効果が得られることは言うまでもない。
【００１４】
（実施例１）
図２には、実施例１における表示手段７の構成が示されている。表示手段７は、左ヒータに対応した左表示手段７ａと右ヒータに対応した右表示手段７ｂからなり、さらに両表示手段７ａ、７ｂともに前記加熱手段の火力を示す火力表示手段８と、火力表示手段８の近傍に配置され、前記加熱手段が有する設定を文字または記号で表示する火力段階表示手段９が設けられており、これらによって設定可能な火力段階および使用中の火力を視覚的に把握するようになっている。
【００１５】
この構成において、両ヒータ２ａ、２ｂをそれぞれ２０００Ｗ設定で同時に使用しようとした場合には、機器の総電力量が４０００Ｗとなる。すると総電力量を３０００Ｗに抑えようとする電力規制手段が働き、左ヒータ２ａについては２０００Ｗ設定が保持され、右ヒータ２ｂについては１０００Ｗ設定に変更される。その結果総電力量は３０００Ｗに抑えられる。この状態ではヒータ２ａについては全設定が可能であるが、ヒータ２ｂについては加熱段階調節器５により２０００Ｗおよび１５００Ｗ設定が不可能となっている。このとき火力段階表示手段９では図２（２）のように、右表示手段７ｂにおいては設定不可能である２０００Ｗおよび１５００Ｗ設定に対応する表示である「４」、「５」は５回点滅した後に消える。その後、図２（３）のように左表示手段７ａにおいては全設定が可能であるため全表示「１」ないし「５」が、右表示手段７ｂにおいては２５０Ｗないし１０００Ｗが設定可能であるため「１」ないし「３」がそれぞれ点滅表示あるいは濃度、色の少なくともいずれかを変化させて表示することにより、前記電力規制手段が働いていることや設定可能な火力段階がどれであるのかを視覚的に正確に把握することができ、使用者の誤操作を減らすことができるようになる。
【００１６】
【発明の効果】
以上のように請求項１、２に記載の発明によれば、機器の総電力量が所定の値を超えないように複数の火力段階を有する加熱手段の出力火力を制限する電力規制手段にて、前記加熱手段の火力が規制状態に移行するということあるいは既に移行状態にあるということ、その後規制状態にあるということ、および設定可能な火力段階がどれであるかが明確にされるため、規制状態にあるときでも使い勝手の良い誘導加熱調理器を提供することができる。
【図面の簡単な説明】
【図１】  本発明の参考例１における視覚表示手段の構成図
【図２】  本発明の実施例１における視覚表示手段の構成図
【図３】  従来の誘導加熱調理器の構成図
【図４】  従来の視覚表示手段の構成図
【符号の説明】
２  加熱手段（ヒータ）
３  操作手段
６  報知手段
８  火力表示手段
９  火力段階表示手段
【図１】
0003882684.tif 000002
【図２】
0003882684.tif 000003
【図３】
0003882684.tif 000004
【図４】
0003882684.tif 000005